(57)【特許請求の範囲】
【請求項１】
光の照射を受けて空気を浄化する光触媒を担持する光触媒担持体（33）を備え、
この光触媒担持体(33)が、室内から屋外へ空気を流す排気風路(F0)に設けられ、この排気風路において排気用送風機(23)よりも上流側に配置されたことを特徴とする空気清浄装置。
【請求項２】
請求項１記載の空気清浄装置(1) において、
上記排気風路(F0)には、排気と給気との間で熱交換させる熱交換器(21)が設けられ、
光触媒担持体(33)は、排気風路(F0)において熱交換器(21)に対して空気流れの上流に設けられたことを特徴とする空気清浄装置。
【請求項３】
請求項２記載の空気清浄装置(1) において、
上記光触媒担持体(33)は、熱交換器(21)に対して空気流れの上流に加えて、熱交換器(21)に対して空気流れの下流にもさらに設けられたことを特徴とする空気清浄装置。
【請求項４】
請求項１記載の空気清浄装置(1) において、
上記排気風路(F0)には、排気と給気との間で熱交換させる熱交換器(21)が設けられ、
光触媒担持体(33)は、排気風路(F0)において熱交換器(21)に対して空気流れの下流に設けられたことを特徴とする空気清浄装置。
【請求項５】
請求項１乃至４の何れかに記載の空気清浄装置(1) において、
上記光触媒担持体(33)は、排気風路(F0)に加えて、屋外から室内へ空気を流す給気風路(F1)にもさらに設けられたことを特徴とする空気清浄装置。
【請求項６】
請求項２乃至５の何れかに記載の空気清浄装置(1) において、
上記熱交換器(21)と、光触媒担持体(33)と、これらの熱交換器(21)および光触媒担持体(33)を収容する単一のケーシング(25)とを含んでユニット(20)を構成していることを特徴とする空気清浄装置。
【請求項７】
請求項２乃至５の何れかに記載の空気清浄装置(1) において、
上記熱交換器(21)を含む第１ユニット(2) と、光触媒担持体(33)を含む第２ユニット(3,4,50,60,70,80) とが設けられたことを特徴とする空気清浄装置。
【請求項８】
請求項７記載の空気清浄装置(1) において、
上記第２ユニット(3,4) は、対応する光触媒担持体(33)をそれぞれ収容する排気風路の一部(F30,F40) および給気風路の一部(F31,F41) を区画する単一のケーシング(31,41) を含むことを特徴とする空気清浄装置。
【請求項９】
請求項５、７および８の何れかに記載の空気清浄装置(1) に使用できる光触媒ユニット(3,4) であって、
給気風路の一部(F31,F41) と排気風路の一部(F30,F40) とに用いる一対の内部風路を区画する単一のケーシング(31,41) と、このケーシング(31,41) の各内部風路に配置される光触媒担持体(33)とを備えたことを特徴とする光触媒ユニット。
【発明の詳細な説明】
【０００１】
【発明の属する技術分野】
光触媒を用いて空気中の臭い成分等の汚染物質を浄化する空気清浄装置、およびこれに用いる光触媒ユニットに関する。
【０００２】
【従来の技術】
上述の空気清浄装置としては、光触媒を用いた浄化機能を、例えば、室内と屋外との間で熱交換しつつ換気する空気調和装置に持たせたものが考えられる。この空気調和装置では、室内から排気される空気と、屋外から給気される空気との間で熱交換器によって熱交換し、その後に、空気を吹出口から室内へ送り出す。吹出口を有するケーシング内に、熱交換器と、光触媒を保持する光触媒エレメントとが設けられている。このように、光触媒を給気が流れる風路に設けて、汚染物質を除去して給気することができる。
【０００３】
【発明が解決しようとする課題】
ところで、焼き肉料理店等では、焼き肉の煙等により排気がひどく汚れている場合がある。このような場合、上述の構成の空気清浄装置では、排気中の汚染物質は除去されない。このため、排気が上述の熱交換器を通る際に、熱交換器に汚染物質が付着するので、熱交換器の熱交換効率が低下したり、熱交換器を通る給気にも臭いが移ることが想定される。その結果、熱交換器の寿命が短くなってしまう。
【０００４】
また、汚れた排気をそのまま排出すると、周囲環境を汚して迷惑になることがある。また、汚れた排気が、再度、給気されることもあり、このような排気は好ましくない。
そこで、本発明の目的は、上述の技術的課題を解決し、排気中の汚染物質を除去できる空気清浄装置と、この空気清浄装置に用いる光触媒ユニットとを提供することである。
【０００５】
【課題を解決するための手段】
この目的を達成するため、請求項１記載の発明の空気清浄装置は、光の照射を受けて空気を浄化する光触媒を担持する光触媒担持体を備え、この光触媒担持体が、室内から屋外へ空気を流す排気風路に設けられ、この排気風路において排気用送風機よりも上流側に配置されたことを特徴とする。
この構成によれば、以下の作用を奏する。すなわち、排気中の汚染物質を排気風路にある光触媒担持体で除去できるので、屋外へ汚染物質が拡散することを防止できる。
【０００６】
請求項２記載の発明の空気清浄装置は、請求項１記載の空気清浄装置において、上記排気風路には、排気と給気との間で熱交換させる熱交換器が設けられ、
光触媒担持体は、排気風路において熱交換器に対して空気流れの上流に設けられたことを特徴とする。
この構成によれば、請求項１記載の発明の作用に加えて、以下の作用を奏する。すなわち、排気は、光触媒担持体で浄化された後に熱交換器に流入するので、熱交換器に汚染物質が付着することを防止できる。また、熱交換器で排気から給気への空気の移行がある場合には、汚染物質が給気に漏れることを確実に防止できて、好ましい。
【０００７】
請求項３記載の発明の空気清浄装置は、請求項２記載の空気清浄装置において、上記光触媒担持体は、熱交換器に対して空気流れの上流に加えて、熱交換器に対して空気流れの下流にもさらに設けられたことを特徴とする。
この構成によれば、請求項２記載の発明の作用に加えて、以下の作用を奏する。すなわち、複数の光触媒担持体を、熱交換器に対して上流と下流とに設けることができて、設置の自由度が高い。また、排気中の汚染物質を確実に除去できる。
【０００８】
請求項４記載の発明の空気清浄装置は、請求項１記載の空気清浄装置において、上記排気風路には、排気と給気との間で熱交換させる熱交換器が設けられ、光触媒担持体は、排気風路において熱交換器に対して空気流れの下流に設けられたことを特徴とする。
この構成によれば、請求項１記載の発明の作用に加えて、以下の作用を奏する。すなわち、排気は、熱交換器での熱交換後に光触媒担持体を通るので、光触媒担持体を通過後に熱交換器を通る場合に比べて、熱交換器に至るまでの排気の温度変化を少なくできる結果、熱交換効率を高くすることができる。
【０００９】
請求項５記載の発明の空気清浄装置は、請求項１乃至４の何れかに記載の空気清浄装置において、上記光触媒担持体は、排気風路に加えて、屋外から室内へ空気を流す給気風路にもさらに設けられたことを特徴とする。
この構成によれば、請求項１乃至４の何れかに記載の発明の作用に加えて、以下の作用を奏する。すなわち、給気風路にある光触媒担持体で給気中の汚染物質を除去できるので、外気中に汚染物質がもともと含まれる場合や、万一、排気中の汚染物質が屋外に排出される場合であっても、汚染物質が室内に導入されることを確実に防止することができる。
【００１０】
請求項６記載の発明の空気清浄装置は、請求項２乃至５の何れかに記載の空気清浄装置において、上記熱交換器と、光触媒担持体と、これらの熱交換器および光触媒担持体を収容する単一のケーシングとを含んでユニットを構成していることを特徴とする。
この構成によれば、請求項２乃至５の何れかに記載の発明の作用に加えて、以下の作用を奏する。すなわち、熱交換器と光触媒担持体とを別々のケーシングに収容する場合に比べて、構造を簡素化でき、しかも、熱交換器と光触媒担持体とを一体に扱えて設置しやすい。
【００１１】
請求項７記載の発明の空気清浄装置は、請求項２乃至５の何れかに記載の空気清浄装置において、上記熱交換器を含む第１ユニットと、光触媒担持体を含む第２ユニットとが設けられたことを特徴とする。
この構成によれば、請求項２乃至５の何れかに記載の発明の作用に加えて、第１ユニットと第２ユニットとを組み合わせることで、第１ユニットに変更を加えることなく、第１ユニットに光触媒による浄化機能を安価に付加することができる。ここで、第１ユニットと第２ユニットとは、ダクトを介して間接的に接続されてもよいし、両ユニットのケーシング同士で直接に接続されてもよい。
【００１２】
請求項８記載の発明の空気清浄装置は、請求項７記載の空気清浄装置において、上記第２ユニットは、対応する光触媒担持体をそれぞれ収容する排気風路の一部および給気風路の一部を区画する単一のケーシングを含むことを特徴とするものである。
この構成によれば、請求項７記載の発明の作用に加えて、以下の作用を奏する。すなわち、第２ユニットの単一のケーシング内に、各風路の光触媒担持体を収容できるので、各風路の光触媒担持体を別々のケーシングに収容する場合に比べて、一体にして扱い易く、しかも、構造を簡素化できる。
【００１３】
請求項９記載の発明の光触媒ユニットは、請求項５、７および８の何れかに記載の空気清浄装置に使用できる光触媒ユニットであって、給気風路の一部と排気風路の一部とに用いる一対の内部風路を区画する単一のケーシングと、このケーシングの各内部風路に配置される光触媒担持体とを備えたことを特徴とする。
この構成によれば、光触媒ユニットを給気風路および排気風路に設けることで、給気と排気とを浄化できて請求項５、７および８の何れかに記載の発明の作用を得ることができる。また、本光触媒ユニットは、単一のケーシングに区画された各内部風路に、対応する各光触媒担持体を収容して構成されたので、各風路を区画する別々のケーシングに各光触媒担持体を収容する場合に比べて、一体にして扱い易く、しかも、構造を簡素化できる。
【００１４】
【発明の実施の形態】
本発明の第１の実施の形態の空気清浄装置を添付図面を参照しつつ説明する。図１は、本発明の第１の実施の形態の空気清浄装置の概略構成図である。
空気清浄装置１は、室内と屋外との間に一対の空気流を生成する一対の送風機２２，２３および熱交換器２１を内蔵する本体ユニット２と、この本体ユニット２を通る空気流を浄化する浄化ユニット３，４とを備えている。また、空気清浄装置１は、これら各部を接続する複数のダクト５〜１１を有している。本体ユニット２および浄化ユニット３，４は、互いに区画された一対の内部風路をそれぞれ有している。各内部風路は上述のダクト５〜１１で接続されており、これによって、屋外から室内へ空気流を流す給気風路（この風路での流れを矢印Ｆ１で示す。）と、室内から屋外へ空気流を流す排気風路（この風路での流れを矢印Ｆ０で示す。）とが構成されている。
【００１５】
本発明では、排気風路に光触媒を担持する光触媒担持体３３を配置して、光触媒により排気を浄化することができる。
排気風路は、室内に臨み空気を吸い込む吸込口１５から、ダクト９と、浄化ユニット３の一方の内部風路（矢印Ｆ３０）と、ダクト１０と、本体ユニット２の一方の内部風路（矢印Ｆ２０）と、ダクト１１と、浄化ユニット４の一方の内部風路（矢印Ｆ４０）と、ダクト１２とで構成されて、屋外に臨み空気を排出する排気口１６へと至っている。
【００１６】
給気風路は、屋外に臨み空気を取り入れる給気口１３から、ダクト５と、浄化ユニット４の他方の内部風路（矢印Ｆ４１）と、ダクト６と、本体ユニット２の他方の内部風路（矢印Ｆ２１）と、ダクト７と、浄化ユニット３の他方の内部風路（矢印Ｆ３１）と、ダクト８とで構成されて、室内に臨み空気を吹き出す吹出口１４へ至っている。また、給気風路は、外気のみを室内に導入する通風路を構成している。
【００１７】
本体ユニット２は、箱状のケーシング２４を有し、この内部に互いに区画された上述の一対の内部風路を有している。この一対の内部風路は、給気風路および排気風路の一部をそれぞれ構成し、熱交換器２１の内部で互いに連通することなく交差して、それぞれの内部風路を流れる空気流の間で熱交換できるように、熱交換器２１がケーシング２４内に取り付けられている。熱交換器２１は、例えば、顕熱と潜熱とを同時に熱交換する全熱交換型の直交流形のものである。これは、平板状の多数の伝熱シートをスペーサを挟んで間隔を開けて対向させて積層し、伝熱シート間に一対の内部風路を交互に区画したものである。伝熱シートは、紙等の透湿性を有する部材で形成されている。また、排気風路の一部である一方の内部風路には、排気の流れを生成する排気用送風機２３が設けられている。また、他方の内部風路には、給気の流れを生成する給気用送風機２２が設けられている。
【００１８】
本体ユニット２の内部風路の上流側および下流側に、光触媒担持体３３を含む浄化ユニット３および浄化ユニット４がそれぞれ配置されている。
浄化ユニット３，４は、ダクト間に介装されて、これらのダクトと協働して一体的なダクトを形成するとともに、一対の内部風路を一体的に区画し、光触媒担持体３３を含むダクトユニットとして構成されている。
【００１９】
浄化ユニット３は、上述の一対の内部風路を区画する区画部材３１ａを含むケーシング３１と、内部風路を流れる空気中の塵埃を捕獲する集塵フィルタ３２と、光の照射を受けて空気を浄化する光触媒を担持する光触媒担持体３３と、光触媒担持体３３に光を照射する光源３４とを備えている。光触媒担持体３３と光源３４とは、一対の内部風路にそれぞれ設けられている。排気風路となる一方の内部風路には、空気流の流れに沿って上流側から、集塵フィルタ３２と、光触媒担持体３３と、光源３４とが並んで配置されている。また、給気風路となる他方の内部風路には、空気流の流れに沿って上流側から、光触媒担持体３３と、光源３４とが並んでいる。また、浄化ユニット３では、集塵フィルタ３２は、特に室内側で生じると想定される汚染物質、例えばオイルミスト等を効果的に除去できるものが使用されている。
【００２０】
浄化ユニット４は、上述の一対の内部風路を区画する区画部材４１ａを含むケーシング４１と、一対の内部風路にそれぞれ設けられた光触媒担持体３３と光源３４と、集塵フィルタ３２とを備えている。排気風路となる一方の内部風路に、空気流の流れに沿って上流側から、光触媒担持体３３と、光源３４とが並び、また、給気風路となる他方の内部風路に、空気流の流れに沿って上流側から、集塵フィルタ３２と、光触媒担持体３３と、光源３４とが並んでいる。また、浄化ユニット４では、集塵フィルタ３２は、特に外気に含まれている汚染物質を効果的に除去できるものが使用されている。
【００２１】
光触媒担持体３３は、通気面と、この通気面と交差する方向に延びる多数の互いに平行な通気孔とを有する、例えば、ハニカム構造体で構成されている。光触媒担持体の通気面と給気風路や排気風路での空気の流れ方向とは、互いに交差させて配置されている。
ハニカム構造体は、例えば、塩化ビニル樹脂で形成された、互いに平行な多数の平板と、隣接する平板間に配置された波形板とを含んでいる。ハニカム構造体は、平板と波形板とを交互に多数積層して、積層する方向に延びた表面および裏面を有する板状に形成され、表面および裏面に開口する多数の通気孔を有している。これら平板および波形板の表面または内部に、光、特に紫外線の照射を受けて臭い成分等を分解する光触媒が担持されている。
【００２２】
光触媒は、紫外線等の光を吸収し、そのエネルギを反応物質に与えて化学反応を起こさせる物質を意味する。この光触媒が有する主な機能としては、▲１▼臭い成分の除去による脱臭機能や、▲２▼臭い成分でない汚染物質を分解する機能や、▲３▼微生物の殺菌やウィルスの不活化を行なう機能（いわゆる殺菌、抗菌機能）等も含まれるが、これらの機能は、何れも光触媒の有する酸化分解機能によって達成されるものである。
【００２３】
ここで、酸化分解機能を有する光触媒としては、アナタース型の結晶構造を持つ酸化チタン（ＴｉＯ2 ）を例示することができる。このアナタース型の結晶構造を持つ酸化チタンであれば、弱い紫外線でも高い浄化能力を発揮できる点で好ましい。また、酸化亜鉛（ＺｎＯ）および酸化タングステン（ＷＯ3 ）等を用いてもよい。
【００２４】
光源３４は、例えば、直管型の冷陰極型蛍光ランプである。光源３４は、波長３２０〜４２０ｎｍの光を発することができ、ＴｉＯ2 、ＺｎＯ等の光触媒を活性化させて効率よく汚染物質を浄化することができる。光源３４は、光触媒担持体の全面を照明できるように、光触媒担持体３３の通気面と所定距離を開けて、平行に延びて配置されている。
【００２５】
なお、光触媒担持体３３や光源３４は、上述の構成に限定されない。例えば、光触媒担持体３３は、波形板を用いたものの他、ポリエステル系不織布等の繊維に光触媒をコーティングしたものでもよい。また、光源３４としては、光触媒を励起できる光を発することができるものであればよく、特に、紫外線を照射できるものが、浄化効率を高めるうえで好ましい。また、光触媒担持体３３と光源３４との配置も上述のものに限定されず、例えば、光源３４を空気流の上流に配置したり、光触媒担持体３３を空気流に沿うように配置してもよい。
【００２６】
この空気調和装置１では、給気用送風機２２および排気用送風機２３が運転されると、室外から給気風路を通して室内へ空気が給気され、室内から排気風路を通して室外へ空気が排気される。室内からの排気は、先ず、浄化ユニット３の集塵フィルタ３２でオイルミスト等を含む塵埃を除去され、次に、光触媒による浄化機能により空気中に混ざっている臭い成分等の異物が分解されて浄化される。その後、本体ユニット２の熱交換器２１に導入される。その後、空気は、浄化ユニット４の光触媒による浄化機能により浄化された後、排気口１６から屋外へ排気される。また、室外からの給気は、先ず、浄化ユニット４の集塵フィルタ３２で塵埃を除去され、次に、光触媒による浄化機能により浄化される。その後、本体ユニット２の熱交換器２１を通過し、例えば、冷たい給気は温かい排気によって暖められる。その後、浄化ユニット３の光触媒による浄化機能によって浄化されてから、吹出口１４から室内に給気される。
【００２７】
このように本実施の形態によれば、光触媒担持体３３が、排気風路に設けられたので、排気中の汚染物質を除去できる結果、屋外へ汚染物質が拡散することを防止できて、迷惑になることもない。また、これにより、屋外からの給気とともに汚染物質が室内に導入されることをも防止できる。
特に、浄化ユニット３の光触媒担持体３３が熱交換器２１の上流側の排気風路に設けられたので、排気は光触媒担持体３３で浄化された後に熱交換器２１に流入する結果、熱交換器２１に汚染物質が付着することを防止できる。これにより、熱交換器２１の熱交換効率の低下を防止でき、また、汚染物質の熱交換器２１への付着に起因する給気への臭い移りを防止できる。その結果、汚染物質の熱交換器２１への付着がある場合に比べて、熱交換器２１を長寿命化することができる。また、全熱交換型の熱交換器２１のように、熱交換器２１で排気から給気への空気の移行がある場合であっても、汚染物質が給気に漏れることを確実に防止できる。
【００２８】
さらに、光触媒担持体３３は、熱交換器２１の上流側と下流側との両側の排気風路に設けられたので、複数の光触媒担持体３３を、熱交換器２１に対して高い自由度で設置でき、しかも、排気中の汚染物質を確実に除去できる。
また、光触媒担持体３３は、排気風路に加えて、屋外から室内へ空気を流す給気風路にもさらに設けられたので、給気風路にある光触媒担持体３３で給気中の汚染物質を除去できる。その結果、外気中に汚染物質がもともと含まれる場合や、万一、排気中の汚染物質が屋外に排出される場合であっても、給気とともに汚染物質が室内に導入されることを確実に防止することができる。
【００２９】
特に、光触媒担持体３３は、熱交換器２１の下流側の給気風路に設けられたので、全熱交換型の熱交換器２１のように、排気経路と給気風路との間で空気が移行する場合があったとしても、給気を確実に浄化することができる。
また、本体ユニット２は、熱交換器２１を含む第１ユニットとして構成され、浄化ユニット３，４は、光触媒担持体３３を含む第２ユニットとして構成され、これらの第１ユニットと第２ユニットとを組み合わせて本空気清浄装置１が構成されている。これにより、第１ユニットに変更を加えることなく、第１ユニットに光触媒による浄化機能を安価に付加することができる。例えば、本体ユニット２のように外気処理装置として機能するものを第１ユニットとすることで、既存の外気処理装置をそのまま利用できて好ましい。ここで、第１ユニットと第２ユニットとは、上述のように、ダクトを介して間接的に接続されてもよいし、両ユニットのケーシング同士で直接に接続されてもよい。
【００３０】
また、空気清浄装置１は、上述の第１ユニットと第２ユニットとを備えているので、光触媒担持体３３と熱交換器２１とが同じユニットに含まれる場合に比べて、光触媒担持体３３を必要に応じた浄化能力に設定し易くて好ましい。というのは、排気風路の空気を浄化する必要のある場合には、室内に汚染物質の発生源があると想定されるので、この発生源に応じた浄化能力に設定するのが好ましいからである。
【００３１】
また、浄化ユニット３は、給気風路の一部と排気風路の一部とに用いる一対の内部風路を区画する単一のケーシング３１と、このケーシング３１の各内部風路に配置される光触媒担持体３３および光源３４とを備えた光触媒ユニットとして構成されている。また、浄化ユニット４も同様の光触媒ユニットとして構成されている。この光触媒ユニットは、各風路の光触媒担持体３３および光源３４を別々のケーシングに収容する場合に比べて、一体にして扱い易く、しかも、構造を簡素化できる。また、光触媒ユニットを、既存の本体ユニットの外部に取り付けて組み合わせることで、本体ユニットに給気と排気の浄化機能を容易且つ安価に付加することができる。
【００３２】
また、集塵フィルタ３２が、熱交換器２１の上流側であって、光源３４の上流側であって、光触媒担持体３３の上流側の排気風路に配置されている。これにより、集塵フィルタ３２が、排気に含まれるオイルミスト等の異物を捕獲して排気中から除去できるので、排気中に含まれる異物が光触媒担持体３３や光源３４や熱交換器２１に付着することを防止できる。その結果、光源３４で効率よく光触媒担持体３３を照明でき、さらに、光触媒担持体３３の光触媒により効率良く排気を浄化でき、それに加えて、熱交換器２１でも効率よく熱交換することができる。
【００３３】
次に、第１の参考例の空気清浄装置を、図２の概略構成図を参照しながら説明する。なお、第１の実施の形態と同様の部分については、同じ符号を付して説明を省略し、後述する他の実施の形態および参考例でも同様に扱う。
第１の参考例では、光触媒担持体３３および光源３４が、熱交換器２１の下流側の給気風路および熱交換器の上流側の排気風路にだけ設けられている。また、上述の本体ユニット２と浄化ユニット３とが一体に構成された本体ユニット２０が設けられている。
【００３４】
空気清浄装置１は、上述の本体ユニット２０と、この本体ユニット２０に接続される複数のダクト６，７，１０，１１とを有しており、これら各部によって上述の給気風路および排気風路を区画している。すなわち、排気風路（矢印Ｆ０参照）は、吸込口１５から、ダクト１０と、本体ユニット２０の一方の内部風路（矢印Ｆ２０）と、ダクト１１とで構成されて、排気口１６へと至っている。給気風路（矢印Ｆ１参照）は、給気口１３から、ダクト６と、本体ユニット２０の他方の内部風路（矢印Ｆ２１）と、ダクト７とで構成されて、吹出口１４へ至っている。
【００３５】
本体ユニット２０は、内部に排気風路の一部と給気風路の一部を区画しつつ以下の各部を収容する単一のケーシング２５と、ケーシング２５の内部に配置された各部、すなわち、熱交換器２１と、集塵フィルタ３２と、各風路に対応する光触媒担持体３３および光源３４とを有している。ケーシング２５は、上述のケーシング２４と、ケーシング３１とを一体化したものであり、内部風路を排気風路と給気風路とに区画する区画部材２５ａを有している。排気風路となる、熱交換器２１の上流側の一方の内部風路には、空気流の流れに沿って上流側から、集塵フィルタ３２と、光触媒担持体３３と、光源３４とが順に配置されている。また、給気風路となる、熱交換器２１の下流側の他方の内部風路には、空気流の流れに沿って上流側から、光触媒担持体３３と、光源３４とが並んでいる。
【００３６】
このように第１の参考例によれば、本体ユニット２０は、単一のケーシング２５内に、熱交換器２１と光触媒担持体３３とを収容してユニットを構成しているので、熱交換器２１と光触媒担持体３３とを別々のケーシングに収容する場合に比べて、構造を簡素化でき、しかも、熱交換器２１と光触媒担持体３３とを一体に扱えて設置しやすい。
【００３７】
さらに、本体ユニット２０は、給気風路の一部と排気風路の一部とに用いる一対の内部風路を区画する単一のケーシング２５と、このケーシング２５の各内部風路に配置される光触媒担持体３３および光源３４とを備えた光触媒ユニットとして構成されているので、各風路に対応する光触媒担持体および光源を別々のケーシングに収容する場合に比べて、各風路用の光触媒担持体３３および光源３４を一体化して扱い易く、しかも、本体ユニット２０の構造を簡素化できる。
【００３８】
また、光触媒担持体３３が、排気風路に設けられ、特に、熱交換器２１の上流側の排気風路に設けられ、また、給気風路の、特に、熱交換器２１の下流側にも設けられたので、これらによる作用効果を、第１の実施の形態と同様に得ることができる。
次に、第２の参考例の空気清浄装置を、図３の概略構成図を参照しながら説明する。
【００３９】
第２の参考例では、熱交換器２１は、一対の風路の間で顕熱を交換する顕熱交換型のものとされており、通常、給気と排気との間で空気が移行する虞はない。このため、光触媒担持体３３および光源３４は、熱交換器２１の下流側の排気風路および熱交換器２１の下流側の給気風路にだけ設けられている。また、光触媒担持体３３および光源３４は、本体ユニット２と別体の浄化ユニット５０，６０としてユニット化されている。
【００４０】
浄化ユニット５０は、排気口１６を形成するケーシング５１と、その内部風路に空気流の流れに沿って上流側から配置された光触媒担持体３３および光源３４とを備えている。このように、浄化ユニット５０は、排気口ユニットとして構成されている。
浄化ユニット６０は、吹出口１４を形成するケーシング６１と、その内部風路に空気流の流れに沿って上流側から配置された光触媒担持体３３および光源３４とを備えている。このように、浄化ユニット６０は、吹出口ユニットとして構成されている。
【００４１】
このように第２の参考例によれば、熱交換器２１を含む第１ユニットとしての本体ユニット２と、光触媒担持体３３を含む第２ユニットとしての浄化ユニット５０，６０とが設けられているので、第１ユニットと第２ユニットとを組み合わせることで、外気処理装置としての第１ユニットに変更を加えることなく、第１ユニットに光触媒による浄化機能を安価に付加することができる。
【００４２】
特に、光触媒担持体３３が、熱交換器２１の下流側の排気風路に設けられたので、排気は熱交換器２１での熱交換後に光触媒担持体３３を通る結果、光触媒担持体３３を通過後に熱交換器２１を通る場合に比べて、熱交換器２１に到達するまでの排気の温度変化を少なくできる。その結果、熱交換器２１での熱交換効率を高くすることができる。
【００４３】
なお、光触媒担持体３３および光源３４を含むユニットの構成は、上述の実施の形態および各参考例に示したものに限定されない。例えば、光触媒担持体３３と光源３４とでユニットを構成しない場合も考えられる。また、ユニットとする場合も、上述の本体ユニット２，２０、ダクトユニット、排気口ユニット、吹出口ユニットの他のユニット構成も考えられる。すなわち、図４の第２の実施の形態の概略構成図に示すように、浄化ユニット７０は、吸込口１５を形成するケーシング７１と、その内部風路に配置された光触媒担持体３３および光源３４とを備えた、吸込口ユニットである。また、浄化ユニット８０は、給気口１３を形成するケーシング８１と、その内部風路に配置された光触媒担持体３３および光源３４とを備えた、給気口ユニットである。また、浄化ユニット７０と、本体ユニット２とは、ケーシング同士で直接に接続されている。このように、各ユニット間の接続は、ダクトを介して間接的なものでも、直接に連結するものでもよい。
【００４４】
また、図１〜図４に示す各実施の形態および各参考例では、空気清浄装置１は、本体ユニット２に熱交換器２１および送風機２２，２３を備えていたが、これには限定されない。例えば、熱交換器２１を省略した空気清浄装置１を構成し、換気機能を有する空気清浄装置としてもよい。また、上述の本体ユニット２から送風機２２，２３を省いて構成し、この送風機２２，２３の省かれた本体ユニットに別途設けられた送風機を組み合わせてもよい。同様にして、熱交換器２１を省いた本体ユニットも利用することができる。
【００４５】
また、光触媒担持体３３の給気風路での配置位置は、図４に示すように熱交換器２１の上流側だけでもよいし（配置Ａ１とする）、図２と図３に示すように熱交換器２１の下流側だけでもよいし（配置Ａ２とする）、図１に示すように熱交換器２１の上流側と下流側との両方に設けてもよい（配置Ａ３とする）。また、上述のように熱交換器２１を省いた給気風路に、光触媒担持体３３を設けてもよい（配置Ａ４とする）。
【００４６】
また、光触媒担持体３３の排気風路での配置位置は、図２の第１の参考例と図４の第２の実施の形態のように熱交換器２１の上流側だけでもよいし（配置Ｂ１とする）、図３の第２の参考例のように熱交換器２１の下流側だけでもよいし（配置Ｂ２とする）、図１の第１の実施の形態のように熱交換器２１の上流側と下流側との両方に設けてもよい（配置Ｂ３とする）。また、上述のように熱交換器２１が省かれた排気風路に光触媒担持体３３を設けてもよい（配置Ｂ４とする）。
【００４７】
また、排気風路の光触媒担持体３３と、給気風路の光触媒担持体３３との組み合わせは、特に限定されない。上述の配置Ａ１〜配置Ａ４の何れかと、上述の配置Ｂ１〜配置Ｂ４の何れかとを組み合わせたものを考えることができる。また、また、外気がきれいな環境で使用される空気清浄装置１では、光触媒担持体３３を排気風路にだけ設けて、給気風路の光触媒担持体を省略した構成も考えることができる。
【００４８】
このように、空気清浄装置としては、熱交換器２１や送風機２２、２３の有無には限定されない。また、光触媒担持体３３の配置も種々例示できる。要は、光触媒担持体３３が、排気風路に設けられていればよい。
その他、本発明の要旨を変更しない範囲で種々の設計変更を施すことが可能である。
【００４９】
【発明の効果】
請求項１記載の発明によれば、以下の効果を奏する。すなわち、排気風路に設けた光触媒担持体が、排気中の汚染物質を除去でき、汚染物質の屋外への拡散を防止できる。その結果、屋外からの給気とともに、汚染物質が室内に導入されることをも防止できる。
【００５０】
請求項２記載の発明によれば、請求項１記載の発明の効果に加えて、以下の効果を奏する。すなわち、熱交換器の上流側に光触媒担持体を設けた排気風路では、排気中の汚染物質が熱交換器に付着することを防止できる。また、熱交換器で給気と排気との間の空気の移行がある場合には、汚染物質が給気に漏れることを確実に防止できて好ましい。
【００５１】
請求項３記載の発明によれば、請求項２記載の発明の効果に加えて、複数の光触媒担持体を排気風路での熱交換器の上流と下流とに設けることで、排気中の汚染物質を確実に除去でき、しかも、光触媒担持体の設置の自由度が高い。
請求項４記載の発明によれば、請求項１記載の発明の効果に加えて、熱交換器の下流側に光触媒担持体を設けた排気風路では、排気は熱交換後に光触媒担持体を通るので、熱交換前に光触媒担持体を通る場合に比べて、熱交換効率を高くすることができる。
【００５２】
請求項５記載の発明によれば、請求項１乃至４の何れかに記載の発明の効果に加えて、給気風路にも光触媒担持体を設けたので、給気とともに汚染物質が室内に導入されることを確実に防止することができる。
請求項６記載の発明によれば、請求項２乃至５の何れかに記載の発明の効果に加えて、以下の効果を奏する。すなわち、光触媒担持体と熱交換器とを単一のケーシング内に収容してユニットを構成したので、構造を簡素化できて、設置しやすい。
【００５３】
請求項７記載の発明によれば、請求項２乃至５の何れかに記載の発明の効果に加えて、熱交換器と光触媒担持体とを別ユニットに構成したので、それぞれのユニットを組み合わせることで、熱交換器を含む第１ユニットに変更を加えることなく、光触媒による浄化機能を安価に付加することができる。
請求項８記載の発明によれば、請求項７記載の発明の効果に加えて、各風路の光触媒担持体を含むユニットを構成できるので、扱い易くて、しかも、構造を簡素化できる。
【００５４】
請求項９記載の発明によれば、光触媒ユニットを給気風路および排気風路に設けて請求項５、７および８の何れかに記載の発明の効果を得られることに加え、光触媒ユニットは、扱い易くて、しかも、構造を簡素化できる。
【図面の簡単な説明】
【図１】  本発明の第１の実施の形態の空気清浄装置の概略構成図である。
【図２】  第１の参考例の空気清浄装置の概略構成図である。
【図３】  第２の参考例の空気清浄装置の概略構成図である。
【図４】  本発明の第２の実施の形態の空気清浄装置の概略構成図である。
【符号の説明】
１  空気清浄装置
２  本体ユニット（第１ユニット）
３，４  浄化ユニット（第２ユニット、光触媒ユニット）
２０  本体ユニット
２１  熱交換器
２３  排気用送風機
２５  ケーシング
３３  光触媒担持体
３１，４１  ケーシング
５０，６０，７０，８０  浄化ユニット（第２ユニット）
Ｆ０  排気風路
Ｆ１  給気風路
【図１】
0004092786.tif 000002
【図２】
0004092786.tif 000003
【図３】
0004092786.tif 000004
【図４】
0004092786.tif 000005